(57)【特許請求の範囲】
【請求項１】
画像を投射する画像投射部と、
投射時の環境に合わせて、前記画像の画質を複数のカラーモードのうちの１つに調整する画質調整部と、
前記画像をフォーカス調整するフォーカス調整部と、
フォーカス調整する場合に、前記画質調整部に前記画像の画質を前記複数のカラーモードのうち高コントラストのカラーモードに変更させる画質制御を行う制御部と
を備えることを特徴とする投射型表示装置。
【請求項２】
前記制御部は、フォーカス調整する場合に、前記画質調整部に前記画像の画質を前記複数のカラーモードのうち、最も高コントラストなカラーモードに変更させる画質制御を行うことを特徴とする請求項１に記載の投射型表示装置。
【請求項３】
前記画像投射部は、動画の入力画像に対応する画像を投射し、
前記制御部は、フォーカス調整する場合に、投射画像を静止させる表示制御を行うことを特徴とする請求項１又は２に記載の投射型表示装置。
【請求項４】
前記画像の供給元である映像ソース機器と通信する通信部を備え、
前記制御部は、フォーカス調整する場合に、前記通信部を介して前記映像ソース機器に画像再生を一時停止させる通信制御を行うことを特徴とする請求項１又は２に記載の投射型表示装置。
【請求項５】
前記フォーカス調整部は、ユーザー操作に応じて電動でフォーカス調整する電動フォーカス機構を有し、
前記制御部は、前記フォーカス調整のユーザー操作があった場合に、前記画質調整部に前記画像の画質を前記カラーモードに変更させる画質制御を行うことを特徴とする請求項１乃至４のいずれかに記載の投射型表示装置。
【請求項６】
前記複数のカラーモードは、明るさ及びコントラストが異なるカラーモードであることを特徴とする請求項１乃至５のいずれかに記載の投射型表示装置。
【請求項７】
画像を投射する画像投射部と、投射時の環境に合わせて、前記画像の画質を複数のカラーモードのうちの１つに調整する画質調整部と、前記画像をフォーカス調整するフォーカス調整部とを備える投射型表示装置の制御方法において、
フォーカス調整する場合に、前記画質調整部に前記画像の画質を前記複数のカラーモードのうち高コントラストのカラーモードに変更させる画質制御を行うことを特徴とする投射型表示装置の制御方法。
【発明の詳細な説明】
【技術分野】
【０００１】
本発明は、投射する画像をフォーカス調整する投射型表示装置及びその制御方法に関する。
【背景技術】
【０００２】
投射型表示装置（プロジェクター）には、ユーザーが投射画像を見ながら所定の操作子を操作し、投射画像のフォーカス調整を行うものがある。この種の投射型表示装置には、フォーカス調整を電動で行う電動フォーカス機構を具備し、この機構を作動させる調整スイッチが操作されると、フォーカス調整パターンの映像を投射させるものがある（例えば、特許文献１参照）。
【先行技術文献】
【特許文献】
【０００３】
【特許文献１】特許第２５９８５５７号公報
【発明の概要】
【発明が解決しようとする課題】
【０００４】
しかしながら、従来の構成では、フォーカス調整専用のパターンを用意する必要があり、データ量が増えてしまう。また、ユーザーによっては、専用パターンではなく、実際に鑑賞する鑑賞画像を用いてフォーカス調整したい場合があり、このような要望には応えられない。
一方、この種の投射型表示装置には、投射時の環境に合わせて設定される複数のカラーモードを備え、投射画像の画質を所望のカラーモードに調整できるものがある。このカラーモードには、映像の解像感よりも映像の雰囲気を重視する画質モードがあり、このようなカラーモードに調整した場合にはフォーカス感が判りにくくなり、フォーカス調整パターンや鑑賞画像のいずれを用いても、フォーカス調整しにくくなってしまう。
【０００５】
本発明は、上述した事情を鑑みてなされたものであり、専用のパターンを使用することなく正確にフォーカス調整し易くした投射型表示装置及びその制御方法を提供することを目的としている。
【課題を解決するための手段】
【０００６】
上記目的を達成するために、本発明は、投射型表示装置において、画像を投射する画像投射部と、投射時の環境に合わせて、前記画像の画質を複数のカラーモードのうちの１つに調整する画質調整部と、前記画像をフォーカス調整するフォーカス調整部と、フォーカス調整する場合に、前記画質調整部に前記画像の画質を前記複数のカラーモードのうち高コントラストのカラーモードに変更させる画質制御を行う制御部とを備えることを特徴とする。
この構成によれば、フォーカス調整する場合に、投射時の環境に合わせて設定される複数のカラーモードのうち、高コントラストのカラーモードに変更する画質制御を行うので、専用のパターンを使用することなく正確にフォーカス調整し易くすることができる。
【０００７】
上記構成において、前記制御部は、フォーカス調整する場合に、前記画質調整部に前記画像の画質を前記複数のカラーモードのうち、最も高コントラストなカラーモードに変更させる画質制御を行うようにしてもよい。この構成によれば、既存のカラーモードを用いて効果的にフォーカス調整し易くすることができる。
また、上記構成において、前記画像投射部は、動画の入力画像に対応する画像を投射し、前記制御部は、フォーカス調整する場合に、投射画像を静止させる表示制御を行うようにしてもよい。この構成によれば、投射画像を動画で表示する場合に比して、より解像感の高い投射画像にすることができ、より正確にフォーカス調整し易くすることができる。
【０００８】
また、上記構成において、前記画像の供給元である映像ソース機器と通信する通信部を備え、  前記制御部は、フォーカス調整する場合に、前記通信部を介して前記映像ソース機器に画像再生を一時停止させる通信制御を行うようにしてもよい。この構成によれば、投射画像を動画で表示する場合に比して、より解像感の高い投射画像にすることができ、より正確にフォーカス調整し易くすることができる。
また、上記構成において、前記フォーカス調整部は、ユーザー操作に応じて電動でフォーカス調整する電動フォーカス機構を有し、前記制御部は、前記フォーカス調整のユーザー操作があった場合に、前記画質調整部に前記画像の画質を前記カラーモードに変更させる画質制御を行うようにしてもよい。この構成によれば、フォーカス調整のユーザー操作を有効利用してフォーカス調整時の画質制御を行うことができ、部品点数の増大を回避できる。
【０００９】
また、上記構成において、前記複数のカラーモードは、明るさ及びコントラストが異なるカラーモードとしてもよい。この構成によれば、フォーカス調整時に明るさ及びコントラストが高いカラーモードに変更することによって、高コントラストの画質に調整することができる。
また、本発明は、画像を投射する画像投射部と、投射時の環境に合わせて、前記画像の画質を複数のカラーモードのうちの１つに調整する画質調整部と、前記画像をフォーカス調整するフォーカス調整部とを備える投射型表示装置の制御方法において、フォーカス調整する場合に、前記画質調整部に前記画像の画質を前記複数のカラーモードのうち高コントラストのカラーモードに変更させる画質制御を行うことを特徴とする。この構成によれば、専用のパターンを使用することなく正確にフォーカス調整し易くすることができる。
【発明の効果】
【００１０】
本発明によれば、専用のパターンを使用することなく正確にフォーカス調整し易くすることができる。
【図面の簡単な説明】
【００１１】
【図１】本発明の実施形態に係るプロジェクターのブロック図である。
【図２】プロジェクターのカラーモードを説明する図である。
【図３】フォーカス調整時の動作を示すフローチャートである。
【図４】フォーカス調整時の投射画像の一例を示す図である。
【図５】変形例の説明に供する図である。
【発明を実施するための形態】
【００１２】
以下、図面を参照して本発明の一実施の形態について説明する。
図１は、本発明の実施形態に係るプロジェクター（投射型表示装置）１０のブロック図である。
このプロジェクター１０は、画像を表す画像光を投射して投射面となるスクリーンＳＣに画像（投射画像）を表示させる装置であり、主要部品を収容する装置本体１２と、ユーザーが把持して当該プロジェクター１０を操作可能なリモートコントローラー（以下、リモコンという）１３とを備えている。
【００１３】
装置本体１２には、主に光学系を構成する画像投射部２１と、画像処理系を構成する画像処理部２２とが配設される。
画像投射部２１は、スクリーンＳＣに向けて画像を投射する光学系を構成し、光源として機能する光源装置２１Ａと、液晶パネル（液晶ライトバルブとも言う）２１Ｂと、投射光学系２１Ｃとを備えている。
光源装置２１Ａは、キセノンランプ、超高圧水銀ランプ又はＬＥＤ（Light  Emitting  Diode）などを備え、光源駆動部２３により駆動されて照明光を出射する。液晶パネル２１Ｂは、複数の画素をマトリクス状に配置した透過型液晶パネルであり、液晶パネル駆動部２４の駆動によって各画素の光透過率を変化させることにより、光源装置２１Ａからの照明光を画像を表す画像光へと変調する。
【００１４】
投射光学系２１Ｃは、液晶パネル２１Ｂによって画像光へと変調された光を拡大投射するものである。この投射光学系２１Ｃには、投射画像の拡大・縮小／焦点の調整（ピントの調整とも言う）／レンズシフトを各々行うための複数のレンズ（電動レンズ）３１と、各レンズ３１を駆動するためのモーター（電動モーター）３２と、各電動モーター３２の回転を減速して各レンズ３１を駆動する減速機構３３とが設けられている。
モーター駆動部２５は、投射光学系２１Ｃの各モーターを電動駆動することにより、投射画像の拡大・縮小／焦点の調整／レンズシフトを行う。
すなわち、このプロジェクター１０においては、レンズ３１、モーター３２及び減速機構３３によって、電動ズーム機構、電動フォーカス機構（フォーカス調整部）及び電動レンズシフト機構が構成されている。
【００１５】
位置検出部２６は、各レンズ３１の駆動位置、つまり、現在のズーム位置／フォーカス位置／レンズシフト位置の各々を検出するエンコーダであり、減速機構３３に機械的に接続されている。
ここで、プロジェクター１０が３ＬＣＤ式プロジェクターで構成される場合には、Ｒ，Ｇ，Ｂの３色に対応する３枚の液晶パネル２１Ｂ及び光源装置２１Ａの光の分離及び合成をするミラーやプリズムなどが配設される。本実施形態では、説明の便宜上、１枚の液晶パネル２１Ｂを備えた構成としている。なお、この画像投射部２１には、公知の構成を広く適用することが可能である。
【００１６】
また、プロジェクター１０の装置本体１２には、制御部４１、記憶部４２、操作部４３と、画像入力部４４などが更に設けられている。
制御部４１は、記憶部４２に記憶された制御プログラムを実行することにより、プロジェクター１０の各部を制御するコンピューターとして機能する。本実施形態では、この制御部４１及び画像処理部２２が液晶パネル２１Ｂの表示を制御する表示制御部として機能する。
記憶部４２には、制御プログラムや各種データが記憶される。この記憶部４２には、後述する複数のカラーモードを規定する画質パラメーターも記憶されている。
操作部４３は、複数の操作子を有する操作パネル４３Ａと、リモコン１３から送信される操作信号ＳＳを受信する操作信号受信部４３Ｂとを備え、これらを介してユーザー指示を制御部４１に通知する。この操作子としては、電源ＯＮ／ＯＦＦを指示するスイッチなどである。
【００１７】
画像入力部４４は、装置本体１２にケーブル接続された映像ソース機器である外部機器（パーソナルコンピューターやＤＶＤプレーヤーなど）１５から動画形式の映像信号（入力画像）ＳＡを入力し、アナログデジタル変換などを行う。
画像処理部２２は、映像信号から動画の画像データを生成する処理（入力画像の再生処理という）、画像データのフォーマットをインターレース方式からプログレッシブ方式に変換するＩＰ変換などの画像処理をデジタル処理で行う。このデジタル処理後の画像データに基づいて液晶パネル駆動部２４が液晶パネル２１Ｂを駆動し、対応する画像が投射される。
この画像処理部２２には、デジタル処理部として、入力画像の画質を調整する画質調整部２２Ａが設けられている。
【００１８】
画質調整部２２Ａは、制御部４１から、カラーモードを規定する画質パラメーター（パラメーターセット）を入力し、この画質パラメーターに基づき、画像データに対し、明るさ、コントラスト、シャープネス及び色合いなどの調整や、ガンマ補正などの複数種類の画質調整を施す。また、制御部４１は、カラーモードを規定する画質パラメーターのうち「明るさ」に基づいて、光源装置２１Ａや不図示の絞りを調整し、これらにより投射画像をいずれかのカラーモードに調整する。
【００１９】
カラーモードは、投射時の環境に合わせた明るさや色調を設定する設定項目である。図２は各カラーモードを示している。
カラーモードとしては、明るい環境での使用に適した「ダイナミック」と、照明光のある環境での使用に適した「リビング」と、暗い環境で入力画像に忠実な画像を再現可能な「ナチュラル」と、暗い環境で映画鑑賞やコンサート鑑賞に適した「シアター」、x.v.color（登録商標）対応の入力画像の鑑賞に適した「x.v.color」などがある。各カラーモードは、画質の詳細項目である「明るさ」、「コントラスト」、「シャープネス」、「色合い」などのパラメーターの各値を記述したパラメーターセットのデータで構成されている。
【００２０】
図２に一例を示すように、一般に、「ダイナミック」のカラーモードは、「明るさ」、「コントラスト」及び「シャープネス」の各パラメーター値が高い値に設定される。これによって、明るく、高コントラストでシャープな画質に調整する。なお、高いか低いかの判断基準は、予め規定された基準画質（標準的な画質）に対して高いか低いかであり、カラーモード間で相対的に高いか低いかとも一致する。
また、「リビング」のカラーモードは、「明るさ」のパラメーター値が高い値に設定され、「コントラスト」及び「シャープネス」の各パラメーター値が低い値に設定される。これによって、明るく、コントラスト補正及びシャープネス補正を殆どしない画質に調整する。
【００２１】
また、「ナチュラル」のカラーモードは、「明るさ」、「コントラスト」及び「シャープネス」の各パラメーター値が低い値に設定され、これによって、暗く、コントラスト補正及びシャープネス補正を殆どしない画質に調整する。
また、「シアター」のカラーモードでは、「明るさ」のパラメーター値が低い値に設定され、「コントラスト」及び「シャープネス」の各パラメーター値が高い値に設定され、これによって、暗く、高コントラストでシャープな画質に調整する。
なお、各カラーモードのパラメーターは上記と一部が異なっても良いが、本実施形態では、「ダイナミック」のカラーモードが、最も明るく、高コントラストで、シャープな画質となる画質パラメーターセットとなっている。
【００２２】
次にリモコン１３について説明する。
リモコン１３は、ユーザーが把持して簡単に持ち運び可能な小型リモコンに構成されており、複数の操作子を有する操作パネル１３Ａと、プロジェクター１０の操作信号受信部４３Ｂにて受信可能な操作信号ＳＳを送信する操作信号送信部１３Ｂとを備えている。
操作パネル１３Ａには、フォーカス調整を指示するフォーカスキー（図中、「Ｆｏｃｕｓ」で示す）Ｋ１と、電子ズームを指示するズームキー（図中、「Ｚｏｏｍ」で示す）Ｋ２と、レンズシフトを指示するレンズシフトキー（図中、「Ｌｅｎｓ  Ｓｈｉｆｔ」で示す）Ｋ３と、上下左右の方向を指示する方向キー（図中、矢印を付して示す）Ｋ４と、「戻る」を指示するエスケープキーＫ５と、カラーモードの変更を指示するカラーモードキー（図中、「Ｃｏｌｏｒ  Ｍｏｄｅ」で示す）Ｋ６と、これ以外に通常のプロジェクター用リモコンが有する不図示の操作子とが配置されている。
なお、不図示の操作子としては、電源ＯＮ／ＯＦＦを指示するスイッチなどである。また、リモコン１３に配置される全ての操作子は押下式のスイッチに構成されている。
【００２３】
このプロジェクター１０のリモコン操作による概要動作を説明する。
このプロジェクター１０では、フォーカスキーＫ１が押下されると、制御部４１がフォーカス調整モードで動作し、このフォーカス調整モードでは、左右の方向キーＫ４の操作に応じてモーター駆動部２５により焦点距離を変更する。
また、ズームキーＫ２が押下されると、制御部４１がズーム調整モードで動作し、このモードでは、上下の方向キーＫ４の操作に応じてモーター駆動部２５により投射画像の拡大・縮小を行う。
また、レンズシフトキーＫ３が押下されると、制御部４１がレンズシフトモードで動作し、このモードでは、上下左右の方向キーＫ４に応じてモーター駆動部２５により投射画像を上下左右へ移動する。
また、上記各動作モードの場合に、エスケープキーＫ５が押下されると、各モードから通常の動作モードへと復帰する。
【００２４】
また、カラーモードキーＫ６が押下される毎に、制御部４１は、投射画像中にカラーモード名を所定時間だけ表示し、画質調整部２２Ａによってカラーモードを変更する画質制御を行う。この場合、カラーモードを、「ダイナミック」→「リビング」→「ナチュラル」→「シアター」→「x.v.color」→・・・→「オート」に順次循環的に切り換える。
ここで、「オート」は、周辺の明るさなどの状況にあわせてカラーモードを自動選択する状態である。このようにリモコン操作によって、フォーカス調整、ズーム調整、レンズシフト、及び、カラーモード調整を行うことができるので、このプロジェクター１０をユーザーから離れた位置に設置した状態（例えば、天井設置の状態）でも、ユーザーが簡易に各調整を行うことができる。
【００２５】
以下、フォーカス調整時の詳細な動作を説明する。
図３は、この場合の動作を示すフローチャートである。なお、このフローチャートに示す処理は、プロジェクター１０が電源ＯＮの場合に所定の割り込み周期で繰り返し実行されるようになっている。
まず、制御部４１は、フォーカス調整モードか否かを判定し（ステップＳ１）、フォーカス調整モードでなければ当該処理を一旦終了し、フォーカス調整モードであれば（ステップＳ１：ＹＥＳ）、ステップＳ２の処理へ移行する。
このステップＳ２では、制御部４１は現在のカラーモードを特定し、特定したカラーモードを示す情報（カラーモード特定情報）を、記憶部４２に保存する。なお、カラーモードがオートの場合、その旨を特定する情報をカラーモード特定情報として保存する。
【００２６】
次に、制御部４１は、投射画像をフォーカス調整に適した条件を満たす予め定めたカラーモードへ変更する画質制御を行う（ステップＳ３）。具体的には、制御部４１は、画像処理部２２に対し、予め定めたカラーモードへの変更を指示し、画像処理部２２の画質調整部２２Ａによって投射画像を該カラーモードに画質調整させる。また、制御部４１は、上記カラーモードの「明るさ」に応じて、光源駆動部２３により光源装置２１Ａの光量を調整させる。なお、このカラーモードの「明るさ」の値によっては光源装置２１Ａの光量を調整しない場合がある。
ここで、フォーカス調整に適した条件とは、少なくとも高コントラストに画質調整することであり、本実施形態では、画質パラメーターの「明るさ」、「コントラスト」及び「シャープネス」の組み合わせにより最も高コントラストで解像感を付与する画質調整のカラーモードが選択される。図２に示すように、本構成では、「ダイナミック」が「明るさ」、「コントラスト」及び「シャープネス」のいずれも高いパラメーター値とされるので、ステップＳ３では「ダイナミック」への変更が指示される。
【００２７】
続いて、制御部４１は、投射画像を静止する表示制御を行う（ステップＳ４）。具体的には、制御部４１は、画像処理部２２に対し、投射画像の更新停止を指示することにより、入力画像を静止した静止画像を投射させる。これによって、ユーザーがフォーカスキーＫ１を押下した時点の入力画像に対応する静止画像が投射される。言い換えれば、フォーカス調整モード時の静止画像は、ユーザーがフォーカスキーＫ１の押下タイミングを調整することによって、ユーザーがフォーカス調整に利用したい静止画像を選択可能である。
そして、制御部４１は、この表示状態を保持した状態で、リモコン１３のフォーカス調整操作、つまり、左右の方向キーＫ４の操作に応じてフォーカス調整用のモーター３２を駆動させるフォーカス調整制御を行い、焦点距離を変更させる（ステップＳ５）。
【００２８】
ここで、図４は、この場合の投射画像の一例を示す図である。
図４中、上方に示す投射画像ＧＡは、フォーカス調整モード移行前の画像であり、車両Ｚが右方へ移動する動画像を示している。また、下方に示す投射画像ＧＢは、フォーカス調整モード移行後の画像である。
この図に示すように、フォーカス調整モードへ移行すると、投射画像ＧＡが「ダイナミック」のカラーモードに変更されるので、移行後の投射画像ＧＢは、移行前の投射画像ＧＡに比して、明るく、コントラスト補正及びシャープネス補正が施された画像、つまり、高コントラストで解像感のある画像に調整される。さらに、投射画像が静止画像となるので、動画の投射画像ＧＡに比して、移行後の投射画像ＧＢの解像感がより高められる。
【００２９】
このため、ユーザーは、高コントラストで解像感のある画像を見ながらフォーカス調整することができる。従って、ユーザーは、スクリーンＳＣ上にフォーカスが正確に合ったか否かを視認し易く、正確にフォーカス調整することができる。しかも、ユーザーが実際に鑑賞する鑑賞画像を用いてフォーカス調整するので、フォーカス調整にこだわるユーザーにとっても高い満足度が得られるフォーカス調整が可能になる。
【００３０】
このフォーカス調整モード時の投射画像ＧＢには、図４に示すように、制御部４１の表示制御によって、フォーカス調整の操作内容を示す操作ガイド画面ＧＣが表示される。
この操作ガイド画面ＧＣは、フォーカス調整モードの間、継続して表示される画像であり、この画面ＧＣ内には、フォーカス調整に方向キーＫ４を使用することを示すガイド情報（図中、符号ＧＣ１を付して示す）と、フォーカス調整モードを抜ける際にエスケープキーＫ５を使用することを示すガイド情報（図中、符号ＧＣ２を付して示す）とが表示される。
この操作ガイド画面ＧＣの表示により、ユーザーは、フォーカス調整の操作方法を覚えなくてもフォーカス調整を容易に行うことが可能である。
【００３１】
このフォーカス調整モードにおいて、制御部４１は、エスケープキーＫ５が押下されると、フォーカス調整モードの直前の動作状態に復帰する動作モード復帰制御を行う。具体的には、制御部４１は、図３に示すように、エスケープキーＫ５が押下されると、フォーカス調整の終了と判定し（ステップＳ６：ＹＥＳ）、記憶部４２に保存したカラーモード特定情報に基づいてフォーカス調整モード前のカラーモードに復帰させる表示制御（ステップＳ７）と、画像の静止を解除する表示制御（ステップＳ８）とを行う。以上がフォーカス調整時の動作である。
【００３２】
以上説明したように、本実施の形態では、制御部４１は、フォーカス調整する場合に、投射時の環境に合わせて設定される複数のカラーモードのうち、高コントラストのカラーモードに変更する画質制御を行うので、フォーカスが合ったか否かをユーザーが容易に視認できるようになり、フォーカスを合わせやすくなる。従って、既存のカラーモードを有効利用してフォーカス調整し易くでき、フォーカス調整専用のパターンを使用することなく正確にフォーカス調整することが可能になる。
【００３３】
また、制御部４１は、フォーカス調整する場合に、最も高コントラストなカラーモードである「ダイナミック」に変更する画質制御を行うので、効果的にフォーカス調整し易くできる。しかも、この「ダイナミック」は、明るい環境での使用に適したカラーモードであり、一般のプロジェクターが具備するカラーモードであるため、特別なカラーモードを用意しなくてもよい。
【００３４】
さらに、制御部４１は、フォーカス調整する場合に、投射画像を静止する表示制御を行うので、投射画像を動画で表示する場合に比して、同じ映像ソースでも、より解像感の高い投射画像にすることができる。従って、より正確にフォーカス調整し易くできる。
上述したように本プロジェクター１０は電動フォーカス機構を有する構成であるため、フォーカス調整を行う場合にユーザーが操作する操作子が必ず存在する。本構成では、このフォーカス調整に用いるフォーカスキーＫ１の操作に応じて、カラーモードに変更する画質制御を行うので、既存の操作子を有効利用してフォーカス調整時の画質制御を行うことができる。この場合、別途操作子を設ける必要がないので、部品点数の増大を回避できる。
【００３５】
上述した実施形態は、あくまでも本発明の一態様を示すものであり、本発明の主旨を逸脱しない範囲で任意に変形及び応用が可能である。
例えば、上述の実施形態では、フォーカス調整時に「ダイナミック」のカラーモードに変更する場合を説明したが、これに限らず、「ダイナミック」以外にも、高コントラストなカラーモードを有する場合は、そのカラーモードに変更するようにしてもよい。
また、上述の実施形態では、フォーカス調整時に投射画像を静止する表示制御を行う場合を説明したが、これに限らず、この表示制御を省略してもよい。この表示制御を行わなくても、カラーモードの変更によって投射画像を高コントラストにできるので、その分、正確にフォーカス調整し易くできる。
【００３６】
また、上述の実施形態では、フォーカス調整時に、画像処理部２２に対して投射画像を静止する表示制御を行う場合を説明したが、これに限らない。
例えば、外部機器（映像ソース機器）１５とプロジェクター１０とがＨＤＭＩ（High-Definition Multimedia Interface（登録商標））接続される場合には、外部機器（映像ソース機器）１５とプロジェクター１０との間で通信が可能である。
すなわち、このＨＤＭＩ接続では、図５に示すように、プロジェクター１０内には、外部機器１５と通信する通信部５１が設けられ、この通信部５１を介して、プロジェクター１０側から外部機器１５へのコマンド送信などにより外部機器１５の動作を制御することが可能になる。
【００３７】
この場合には、フォーカス調整時に、画像処理部２２に対して投射画像を静止する表示制御を行う方法に代えて、制御部４１が、通信部５１を介して外部機器１５に画像再生を一時停止させる通信制御（コマンド送信）を行うようにしてもよい。これによっても、投射画像を静止画像にすることができ、より正確にフォーカス調整し易くなる。しかも、ＨＤＭＩ接続に必須の構成を用いるので、部品点数の増大を回避できる。
さらに、フォーカス調整が終了した場合に、制御部４１が通信部５１を介して画像再生を指示する通信制御を行うようにすれば、フォーカス調整の完了後、直ちに続きの画像を投射することができ、ユーザーが簡易かつ直ちに画像鑑賞を再開することが可能になる。
【００３８】
また、上述の実施形態において、フォーカス調整専用のカラーモードを設け、制御部４１がフォーカス調整時に、このフォーカス調整専用のカラーモードに変更する画質制御を行うようにしてもよい。さらに、フォーカス調整時にカラーモードを変更する画質制御に加え、この変更後のカラーモードに対し、明るさ、コントラスト、シャープネス及び色合いなどを上げる画質調整を更に行うようにしてもよい。
また、上述のプロジェクター１０は、透過型の液晶パネル２１Ｂを用いて画像をスクリーンに投射するタイプであったが、反射型液晶パネルを用いたプロジェクターであってもよいし、デジタルミラーデバイスを用いたＤＭＤ方式のプロジェクターであってもよい。また、１つの液晶パネル２１Ｂによりカラー画像を投射するプロジェクターに限らず、３つの液晶パネル２１Ｂによりカラー画像を投射する３ＬＣＤ方式のプロジェクター、カラーホイールを備えた単板ＤＭＤ方式のプロジェクター、及び、３ＤＭＤ方式のプロジェクターのいずれにも本発明を適用可能である。
【００３９】
また、上述したプロジェクター１０の各機能部は、プロジェクター１０の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１０の具体的な細部構成についても、本発明の趣旨を逸脱しない範囲で任意に変更可能である。また、本発明は、このような装置が実行するプログラムとして実現することも可能である。
【符号の説明】
【００４０】
１０…プロジェクター（投射型表示装置）、１３…リモートコントローラー（リモコン）、１３Ａ…操作パネル、１３Ｂ…操作信号送信部、１５…外部機器（映像ソース機器）、２１…画像投射部、２２…画像処理部、２２Ａ…画質調整部、３１…レンズ（電動フォーカス機構（フォーカス調整部））、３２…モーター（電動フォーカス機構（フォーカス調整部））、３３…減速機構（電動フォーカス機構（フォーカス調整部））、４１…制御部、４２…記憶部、５１…通信部、Ｋ１…フォーカスキー、Ｋ２…ズームキー、Ｋ３…レンズシフトキー、Ｋ４…方向キー、Ｋ５…エスケープキー、Ｋ６…カラーモードキー。
【図１】
0005494415.tif 000002
【図２】
0005494415.tif 000003
【図３】
0005494415.tif 000004
【図４】
0005494415.tif 000005
【図５】
0005494415.tif 000006